(57)【要約】【課題】患者と術者の両者にとって適切な温熱環境を構築しつつ、清浄度を確保することができる手術室空調システムを提供する。【解決手段】手術室空調システム１０は、手術室１２の天井１３における被術者領域の上方に配置され、被術者領域へ向けて温風を送風する第１吹出部１８と、第１吹出部１８の周囲に配置され、被術者領域の周囲の術者領域へ向けて温風よりも低温の冷風を送風する第２吹出部２０と、第２吹出部２０の周囲に第２吹出部２０に沿って配置され、温風及び冷風よりも大きい速度で前記術者領域よりも外側の領域へ向けて送風する第３吹出部２２と、を有する。【選択図】図２
2019188054.tif 000002
【特許請求の範囲】
【請求項１】
手術室の天井における被術者領域の上方に配置され、前記被術者領域へ向けて温風を送風する第１吹出部と、
前記第１吹出部の周囲に配置され、前記被術者領域の周囲の術者領域へ向けて前記温風よりも低温の冷風を送風する第２吹出部と、
前記第２吹出部の周囲に前記第２吹出部に沿って配置され、前記温風及び前記冷風よりも大きい速度で前記術者領域よりも外側の領域へ向けて送風する第３吹出部と、
を有する手術室空調システム。
【請求項２】
前記第１吹出部は、前記被術者領域の中央部へ向けて高速で前記温風を送風する高速吹出口と、前記術者領域の周辺部へ向けて前記高速吹出口から送風される前記温風よりも低速で前記温風を送風する低速吹出口とを備えている請求項１に記載の手術室空調システム。
【請求項３】
前記第３吹出部は、鉛直方向に対して前記術者領域から離間する方向へ斜めに送風する請求項１又は２に記載の手術室空調システム。
【発明の詳細な説明】
【技術分野】
【０００１】
本発明は、手術室空調システムに関する。
【背景技術】
【０００２】
特許文献１には、術者と患者に最適な温熱環境を与える空調システムとして、患者領域の上方に中央吹出ユニットを設け、術者領域の上方に周囲吹出ユニットを設けた構成が開示されている。また、この特許文献１では、中央吹出ユニットから吹き出される空気の速度の方が周囲吹出ユニットから吹き出される空気の速度よりも大きくなっている。さらに、中央吹出ユニットから吹き出される空気の温度の方が周囲吹出ユニットから吹き出される空気の温度よりも高く、室温程度に設定されている。
【０００３】
特許文献２には、患者に向けて暖気を吹き出す患者向吹出口と、この患者向吹出口の両側で施術者に向けて冷気を吹き出す施術者向吹出口とが設けられた空調システムが開示されている。また、この特許文献２では、施術者向吹出口から吹き出す冷気の速度を患者向吹出口から吹き出す暖気の速度よりも速くしている。
【０００４】
特許文献３では、手術台の天井部から浄化された空気を吹き出すＨＥＰＡフィルタ内蔵吹出口と、このＨＥＰＡフィルタ内蔵吹出口の周囲からより遅い速度で空気を吹き出すＨＥＰＡフィルタ内蔵エアーカーテン吹出口とを備えた空調システムが開示されている。
【先行技術文献】
【特許文献】
【０００５】
【特許文献１】特開２０１５−１６４７００号公報
【特許文献２】特開２０１６−１０６９８７号公報
【特許文献３】特開２０１１−２２６７７０号公報
【発明の概要】
【発明が解決しようとする課題】
【０００６】
上記特許文献１及び上記特許文献２のように、手術台上の患者へ送風される空気の温度と、手術を行う術者へ送風される空気の温度とを異なる温度とすることで、患者と術者の両者にとって適切な温熱環境を構築することが可能となる。しかしながら、温風を手術台（被術者領域）まで到達させるためには、温度成層場に逆らう高速な気流を発生させる必要があり、周囲の清浄度が低い空気を巻き込むことが考えられる。一方、上記特許文献３のように手術台の周囲にエアーカーテン吹出口から浄化された空気をエアーカーテンとして吹出すことで、手術台の周囲の清浄度を確保しやすくなる。しかしながら、患者と術者とで同一の温熱環境しか構築できない。すなわち、患者と術者の両者にとって適切な温熱環境を構築しつつ、清浄度を確保する観点から改善の余地がある。
【０００７】
本発明は、上記の事実を考慮し、患者と術者の両者にとって適切な温熱環境を構築しつつ、清浄度を確保することができる手術室空調システムを提供することを目的とする。
【課題を解決するための手段】
【０００８】
請求項１に記載の手術室空調システムは、手術室の天井における被術者領域の上方に配置され、前記被術者領域へ向けて温風を送風する第１吹出部と、前記第１吹出部の周囲に配置され、前記被術者領域の周囲の術者領域へ向けて前記温風よりも低温の冷風を送風する第２吹出部と、前記第２吹出部の周囲に前記第２吹出部に沿って配置され、前記温風及び前記冷風よりも大きい速度で前記術者領域よりも外側の領域へ向けて送風する第３吹出部と、を有する。
【０００９】
請求項１に記載の手術室空調システムによれば、手術室の天井における被術者領域の上方には第１吹出部が配置されており、この第１吹出部から被術者領域へ向けて温風が送風される。また、第１吹出部の周囲には第２吹出部が配置されており、この第２吹出部から術者領域へ冷風が送風される。ここで、第２吹出部から送風される冷風は、第１吹出部から送風される温風よりも低温となっている。これにより、例えば、手術台上の患者とその周囲の術者の両者にとって適切な温熱環境を構築することができる。
【００１０】
また、第２吹出部の周囲には、この第２吹出部に沿って第３吹出部が配置されており、この第３吹出部は、第１吹出部からの温風及び第２吹出部からの冷風よりも大きい速度で、術者領域よりも外側の領域へ向けて送風させる。これにより、第３吹出部から送風された空気がエアバリア（エアカーテン）として機能し、被術者領域の近傍に清浄空間を確保することができる。
【００１１】
請求項２に記載の本発明に係る手術室空調システムは、請求項１に記載の手術室空調システムであって、前記第１吹出部は、前記被術者領域の中央部へ向けて高速で前記温風を送風する高速吹出口と、前記術者領域の周辺部へ向けて前記高速吹出口からの前記温風よりも低速で前記温風を送風する低速吹出口とを備えている。
【００１２】
請求項２に記載の本発明に係る手術室空調システムによれば、高速吹出口から被術者領域の中央部へ向けて高速で温風が送風され、低速吹出口から被術者領域の周辺部へ向けて低速で温風が送風される。これにより、換気風量の増加を抑制しつつ、被術者領域へ確実に温風を到達させることができる。
【００１３】
請求項３に記載の本発明に係る手術室空調システムは、請求項１又は２に記載の手術室空調システムであって、前記第３吹出部は、鉛直方向に対して前記術者領域から離間する方向へ斜めに送風する。
【００１４】
請求項３に記載の本発明に係る手術室空調システムによれば、第３吹出部から高速で斜めに送風させることにより、送風された空気が床に到達した場合であっても、気流が被術者領域及び術者領域の外側へ巻き上げられることとなり、被術者領域及び術者領域広く確保することができる。
【発明の効果】
【００１５】
以上説明したように、本発明に係る手術室空調システムによれば、患者と術者の両者にとって適切な温熱環境を構築しつつ、清浄度を確保することができる。
【図面の簡単な説明】
【００１６】
【図１】実施形態に係る手術室空調システムが適用された手術室を示す斜視図である。
【図２】図１の手術室の立面図である。
【図３】第１吹出部を拡大して示す拡大図である。
【図４】図１の手術室内の温度分布を示す図である。
【図５】実施形態の変形例に係る手術室空調システムが適用された、図１に対応する立面図である。
【図６】比較例に係る手術室を示す立面図である。
【図７】図５の手術室内の温度分布を示す図である。
【発明を実施するための形態】
【００１７】
以下、図面を参照しながら、本発明の実施形態に係る手術室空調システムについて説明する。図１に示されるように、本発明に係る手術室空調システム１０が適用された手術室１２には、手術台１４が設けられている。
【００１８】
本実施形態の手術台１４は、手術室１２内の中央部に設けられており、図２に示されるように、手術台１４は、脚部１４Ａと平板部１４Ｂとを含んで構成されている。脚部１４Ａは、手術室１２の床面１６に立設されており、この脚部１４Ａによって平板部１４Ｂが支持されている。また、平板部１４Ｂは、平面視で紙面奥行き方向が長手方向とされた略矩形板状に形成されており、この手術台１４の平板部１４Ｂ上に患者Ｐが横になっている。このため、患者Ｐは、手術室１２の床面１６よりも高い位置に寝かせられており、この手術台１４の平板部１４Ｂ及びその近傍の領域が本発明における「被術者領域」に相当する。
【００１９】
図１に示されるように、手術台１４の周囲には術者Ｄが立っており、この術者Ｄによって患者Ｐへの施術が行われる。このため、術者Ｄが立っている手術台１４の周囲の領域が本発明における「術者領域」に相当する。すなわち、被術者領域の周囲の領域が術者領域となっている。
【００２０】
手術台１４の上方には、無影灯１７が配置されている。また、手術台１４の周囲には、熱源となる医療機器１９、２１が配置されている。さらに、手術室１２の壁面には、モニタなどの表示装置２３Ａ、２３Ｂ、２３Ｃ、２３Ｄが設けられている。また、手術室１２の天井には照明２５が設けられている。
【００２１】
本実施形態に係る手術室空調システム１０は、主として、第１吹出部１８、第２吹出部２０及び第３吹出部２２を含んで構成されている。以下、それぞれの吹出部の詳細について説明する。
【００２２】
第１吹出部１８は、手術室１２の天井１３に設けられており、特に天井１３における手術台１４の上方に配置されている。すなわち、第１吹出部１８は、天井１３における被術者領域の上方に配置されており、本実施形態では一例として、手術台１４の平板部１４Ｂの長手方向に延在されている。
【００２３】
図２に示されるように、第１吹出部１８には、ダクト２６の一端部が接続されており、このダクト２６の他端部は、第１空調機２８に接続されている。すなわち、第１吹出部１８と第１空調機２８とがダクト２６によって連結されている。
【００２４】
第１空調機２８は、第１送風機３４を備えており、この第１送風機３４が作動することで、第１送風機３４からダクト２６へ空気が送り込まれるようになっている。また、第１空調機２８は、電気ヒータ３０及び加熱冷却コイル３２を備えており、この電気ヒータ３０及び加熱冷却コイル３２によって所定の温度に加熱又は冷却された空気を第１送風機３４でダクト２６へ送り込むように構成されている。なお、本実施形態では一例として、第１吹出部１８から２７℃の温風が被術者領域へ向けて吹き出されるように温度調整が行われている。
【００２５】
また、本実施形態では、第１吹出部１８から異なる二種類の速度で温風が吹き出されるように構成されている。具体的には、図３に示されるように、第１吹出部１８には、下方側へ開口されており、この開口が中央プレート３６及び周辺プレート３８によって閉塞されている。
【００２６】
中央プレート３６及び周辺プレート３８はそれぞれ、メッシュ状の板材やパンチングメタルなどによって形成されており、温風が吹き出されるための貫通孔３６Ａ、３８Ａが複数形成されている。ここで、中央プレート３６は、第１吹出部１８の中央部に設けられており、この中央プレート３６の開口率は、周辺プレート３８の開口率よりも大きくなっている。例えば、本実施形態では、中央プレート３６及び周辺プレート３８に形成された貫通孔３６Ａ、３８Ａの大きさは同じとなっており、中央プレート３６に形成された貫通孔３６Ａの数が周辺プレート３８に形成された貫通孔３８Ａの数よりも多くなっている。
【００２７】
このように構成することで、中央プレート３６から術者領域の中央部へ向けて高速で温風が送風される。すなわち、中央プレート３６が設けられた部位は、第１吹出部１８における高速吹出口となり、本実施形態では０．４１ｍ／ｓで送風されるように調整されている。
【００２８】
一方、周辺プレート３８から術者領域の周辺部へ向けて、中央プレート３６（高速吹出口）から送風される温風よりも低速で温風が送風される。すなわち、周辺プレート３８が設けられた部位は、第１吹出部１８における低速吹出口となり、本実施形態では０．２２ｍ／ｓで送風されるように調整されている。
【００２９】
また、第１吹出部１８には、ＨＥＰＡ（Ｈｉｇｈ  Ｅｆｆｉｃｉｅｎｃｙ  Ｐａｒｔｉｃｕｌａｔｅ  Ａｉｒ）フィルタ４０が設けられており、このＨＥＰＡフィルタ４０を通過したクリーンエアーが手術室１２内へ送風されるように構成されている。
【００３０】
図１に示されるように、第１吹出部１８の周囲には第２吹出部２０が配置されている。本実施形態では、第２吹出部２０は、第１吹出部１８の周囲に４つ設けられており、それぞれの第１吹出部１８と隣り合うようにして配置されている。具体的には、第１吹出部１８の長手方向の一端部に第１吹出部１８を挟むようにして２つの第２吹出部２０が配置されている。また、第１吹出部１８の長手方向の他端部にも同様に、第１吹出部１８を挟むようにして２つの第２吹出部２０が配置されている。そして、これらの第２吹出部２０から術者領域へ冷風が送風される。
【００３１】
なお、隣り合う第２吹出部２０の間には、無影灯１７の取付部２４が設定されており、この取付部２４から無影灯１７が吊り下げられている。
【００３２】
図２に示されるように、第２吹出部２０には、第１吹出部１８と同様のＨＥＰＡフィルタ４０が設けられている。また、第２吹出部２０には、ダクト４２の一端部が接続されており、このダクト４２の他端部は、第２空調機４４に接続されている。すなわち、第２吹出部２０と第２空調機４４とがダクト４２によって連結されている。
【００３３】
第２空調機４４は、第２送風機４６を備えており、この第２送風機４６が作動することで、第２送風機４６からダクト４２へ空気が送り込まれるようになっている。また、第２空調機４４は、電気ヒータ４８及び加熱冷却コイル５０を備えており、この電気ヒータ４８及び加熱冷却コイル５０によって所定の温度に加熱又は冷却された空気を第２送風機４６でダクト４２へ送り込むように構成されている。
【００３４】
なお、本実施形態では一例として、第２吹出部２０から２０℃の冷風が被術者領域へ向けて吹き出されるように温度調整が行われている。すなわち、第２吹出部２０は、被術者領域の周囲の術者領域へ向けて第１吹出部１８から吹き出される温風よりも低温の冷風を送風させるように構成されている。また、第２吹出部２０からの送風の速度は、０．３４ｍ／ｓとされている。
【００３５】
図１に示されるように、第２吹出部２０の周囲には、第３吹出部２２が配置されている。第３吹出部２２は、第２吹出部２０に沿って配置されており、本実施形態では一例として、４つの第２吹出部２０を囲むように４つの第３吹出部２２が平面視で略矩形枠状に配置されている。なお、ここでいう「枠状」とは、隣り合う第３吹出部２２の隙間を無くして完全に連続する枠体とした構成に限定されず、隣り合う第３吹出部２２の間に設計上の隙間が設けられた構成を含む概念である。
【００３６】
図２に示されるように、第３吹出部２２は、第１吹出部１８及び第２吹出部２０よりも筐体が小さく、スリット式の吹出部とされている。また、第３吹出部２２の吹出口（不図示）は、鉛直方向に対して術者領域から離間する方向に向かって形成されており、第３吹出部２２から術者領域よりも外側の領域へ向けて斜めに送風されるように構成されている。
【００３７】
第３吹出部２２には、ダクト５２の一端部が接続されており、このダクト５２の他端部は、第３空調機５４に接続されている。すなわち、第３吹出部２２と第３空調機５４とがダクト４２によって連結されている。
【００３８】
第３空調機５４は、第３送風機５６を備えており、この第３送風機５６が作動することで、第３送風機５６からダクト５２へ空気が送り込まれるようになっている。また、第３空調機５４は、加熱冷却コイル５８を備えており、この加熱冷却コイル５８によって所定の温度に加熱又は冷却された空気を第３送風機５６でダクト５２へ送り込むように構成されている。なお、本実施形態では一例として、第３吹出部２２から１７℃の冷風が被術者領域よりも外側の領域へ向けて吹き出されるように構成されている。
【００３９】
ここで、第３吹出部２２は、第１吹出部１８からの温風及び第２吹出部２０からの冷風よりも大きい速度で送風するように構成されており、本実施形態では０．７８ｍ／ｓで送風されるように構成されている。
【００４０】
また、ダクト５２にはＨＥＰＡフィルタ４０が設けられており、このＨＥＰＡフィルタ４０を通過したクリーンエアーが手術室１２内へ送風される。
【００４１】
（作用及び効果）
次に、本実施形態の手術室空調システム１０の作用及び効果について説明する。本実施形態では、第２吹出部２０から送風される冷風は、第１吹出部１８から送風される温風よりも低温となっている。これにより、手術台１４上の患者Ｐとその周囲の術者Ｄの両者にとって適切な温熱環境を構築することができる。
【００４２】
具体的には、手術台１４上の患者Ｐに対して適切な熱温環境と、術者Ｄに対して適切な熱温環境は異なっている。すなわち、術者Ｄは、着衣量が多いことに加えて、施術時の動作が多いため、活動量が多くなり、室温では暑熱感が生じる場合があるのに対して、患者Ｐは、着衣量が少なく、動作をしない又は動作が少ないため、室温では寒冷感が生じる場合がある。ここで、本実施形態のように患者Ｐのいる被術者領域へ温風を送風し、術者Ｄがいる術者領域へ冷風を送風することで、両者にとって適切な温熱環境を構築することができる。
【００４３】
また、本実施形態では、第２吹出部２０に沿って略枠状に第３吹出部２２が配置されており、第１吹出部１８からの温風及び第２吹出部２０からの冷風よりも大きい速度で、第３吹出部２２から術者領域よりも外側の領域へ向けて送風される。これにより、第３吹出部２２から送風された空気をエアバリア（エアカーテン）として機能させることができる。
【００４４】
この効果について、比較例の構成と比較して説明する。図６に示される比較例の手術室空調システム１００を備えた手術室１０２は、本実施形態と同じ大きさかつ同じ構成とされている。そして、手術室１０２の中央部に手術台１０４が設けられており、この手術台１０４上に患者Ｐが横になっている。また、手術台１０４の周囲には術者Ｄが立っており、この術者Ｄによって患者Ｐへの施術が行われる。
【００４５】
ここで、手術室１０２の天井１０３には吹出部１０６設けられている。吹出部１０６は、本実施形態の第１吹出部１８及び第２吹出部２０を合せた形状とされており、手術台１０４及び術者Ｄの上方に配置されている。また、吹出部１０６にはＨＥＰＡフィルタ１２４が設けられている。
【００４６】
吹出部１０６には、ダクト１０８の一端部及びダクト１１０の一端部が接続されており、ダクト１０８の他端部が空調機１１２に接続されている。また、ダクト１１０の他端部が空調機１１８に接続されている。すなわち、吹出部１０６と空調機１１２とがダクト１０８によって連結されており、吹出部１０６と空調機１１８とがダクト１１０によって連結されている。
【００４７】
空調機１１２は、送風機１１４を備えており、この送風機１１４が作動することで、送風機１１４からダクト１０８へ空気が送り込まれるようになっている。また、空調機１１２は、加熱冷却コイル１１６を備えており、この加熱冷却コイル１１６によって所定の温度に加熱又は冷却された空気を送風機１１４でダクト１０８へ送り込むように構成されている。
【００４８】
空調機１１８は、送風機１２０を備えており、この送風機１２０が作動することで、送風機１２０からダクト１１０へ空気が送り込まれるようになっている。また、空調機１１８は、加熱冷却コイル１２２を備えており、この加熱冷却コイル１２２によって所定の温度に加熱又は冷却された空気を送風機１２０でダクト１１０へ送り込むように構成されている。
【００４９】
ここで、比較例の手術室空調システム１００では、吹出部１０６から被術者領域及び術者領域へ向けて１７℃の冷風を０．４３ｍ／ｓで送風している。すなわち、被術者領域と術者領域とで送風する空気の温度を変化させていない点で本実施形態と異なっている。また、比較例の手術室空調システム１００では、エアバリア機能を備えた吹出部は設けられていない。
【００５０】
以上の構成とされた比較例の手術室空調システム１００の温度分布について、図７を参照して説明する。図７は、比較例における手術室空調システム１００が適用された手術室１０２の温度分布をシミュレーションで算出したものである。なお、吹出部１０６からの送風量は４８００ＣＭＨとしている。
【００５１】
図７では、温度の分布を濃淡で示しており、濃い部分ほど温度が高いことを示している。そして、最も高い領域Ｗが３０℃前後であり、次に濃い領域Ｘが２６℃前後である。また、図中で三番目に濃い領域Ｙが２３℃前後であり、最も淡い領域Ｚが２０℃以下となっている。
【００５２】
この図７に示されるように、手術室１０２の下部は全体的に温度が領域Ｚの２０℃以下となっている。ここで、術者Ｄは、患者Ｐや他の周囲の看護師等と比較して着衣量が多く、動作も多いため、適温となっている。一方、患者Ｐは、着衣量が少なく、動作をしない又は動作が少ないため、図７の温度分布では寒冷感が生じる場合がある。すなわち、患者Ｐと術者Ｄの両者にとって適切な温熱環境を構築する観点で改善の余地がある。
【００５３】
これに対して、本実施形態に係る手術室空調システム１０が適用された手術室１２の温度分布を図４参照して説明する。図４は、手術室１２の温度分布をシミュレーションで算出したものである。ここで、第１吹出部１８の高速吹出口及び低速吹出口から送風される温風の速度はそれぞれ、０．４１ｍ／ｓ及び０．２２ｍ／ｓであり、送風量は１４４０ＣＭＨ（ｍ３／ｈ）としている。また、第２吹出部２０から送風される冷風の速度はそれぞれ、０．３４ｍ／ｓであり、送風量はそれぞれ１３２０ＣＭＨである。さらに、第３吹出部２２から送風される空気の速度は、０．７８ｍ／ｓであり、送風量は１２００ＣＭＨである。
【００５４】
ここで、図４では、図７と同様に温度の分布を濃淡で示しており、濃い部分ほど温度が高いことを示している。そして、最も高い領域Ｗが３０℃前後であり、次に濃い領域Ｘが２６℃前後である。また、最も淡い領域Ｚが２０℃以下であり、この２０℃以下の領域よりも濃い領域Ｙ（図中で三番目に濃い領域）が２３℃前後である。
【００５５】
この図４に示されるように、手術室１２の天井１３から患者Ｐまで２６℃前後の温度の空気が分布している。これにより、第１吹出部１８から吹き出された温風の縮流現象が抑えられており、患者Ｐまで温風が到達していることが分かる。なお、ここでいう「縮流」とは、気流の速い場所において周囲の空気を誘引する気流が生じることで、吹き出し口から距離が離れるにつれて空気（温風）の到達する範囲が狭くなる現象を指す。図４を見ると、天井１３の吹き出し口の部分の温風の範囲と、患者Ｐの位置における温風の範囲が殆ど同じ範囲となっていることが分かる。
【００５６】
一方で、領域Ｚを見ると、第２吹出部２０から吹き出された冷風が術者Ｄの近傍まで到達している。すなわち、第３吹出部２２から送風された空気をエアバリア（エアカーテン）として機能させることで、被術者領域及び術者領域における気流の乱れが抑制されていることが分かる。このようにして、患者と術者の両者にとって適切な温熱環境を構築することができる。
【００５７】
また、清浄度の分布について図示はしないが、上述したように第３吹出部２２から送風された空気をエアバリアとして機能しているため、被術者領域における清浄度が確保されている。これは、第１吹出部１８から吹き出されたクリーンエアーの温風が患者Ｐまで到達していることからも、外部の異物を含む空気の混入が抑制されていることが確認できる。このようにして、患者Ｐと術者Ｄの両者にとって適切な温熱環境を構築しつつ、清浄度を確保することができる。
【００５８】
また、本実施形態では、図３に示されるように、第１吹出部１８において中央プレート３６の開口率が周辺プレート３８の開口率よりも大きくなっており、中央プレート３６が設けられた部位が第１吹出部１８における高速吹出口となっている。また、周辺プレート３８が設けられた部位が第１吹出部１８における低速吹出口となっている。このように、第１吹出部１８からの送風の速度を二段階とすることにより、換気風量の増加を抑制しつつ、被術者領域へ確実に温風を到達させることができる。すなわち、第１吹出部１８の全体から高速で送風する構成と比較して、省エネルギー化を図ることができる。
【００５９】
さらに、本実施形態では、図２に示されるように、第３吹出部２２から高速で斜めに送風させている。これにより、送風された空気が床面１６に到達した場合であっても、気流が被術者領域及び術者領域の外側へ流れることとなり、被術者領域及び術者領域を広く確保することができる。
【００６０】
さらにまた、本実施形態では、図１に示されるように、第２吹出部２２を４つの第２吹出部２０を囲むように４つの第３吹出部２２が平面視で略矩形枠状に配置されているため、術者領域の外側から空気が入り込むのを効果的に抑制することができる。
【００６１】
なお、本実施形態では、第１吹出部１８を高速吹出口及び低速吹出口を備えた吹出部としたが、これに限定されない。例えば、図５に示される変形例の構成としてもよい。
【００６２】
（変形例）
図５に示されるように、本変形例の手術室空調システム６０は、第１吹出部６２を除いて第１実施形態と同様の構成である。
【００６３】
第１吹出部６２は、実施形態の第１吹出部１８と同様に手術室１２の天井１３に設けられており、特に天井１３における手術台１４の上方に配置されている。すなわち、第１吹出部６２は、天井１３における被術者領域の上方に配置されている。また、第１吹出部６２にはダクト２６の一端部が接続されており、このダクト２６の他端部は、第１空調機２８に接続されている。
【００６４】
ここで、本変形例の第１吹出部６２の吹出口には、メッシュ状の板材やパンチングメタルなどによって形成されたプレート（不図示）が取り付けられており、このプレートの開口率は、第１吹出部６２の全面で同じ開口率とされている。そして、本変形例では一例として、第１吹出部６２から０．３２ｍ／ｓの速度で３０℃の温風を送風するように構成されている。
【００６５】
一方、第２吹出部２０では、この第１吹出部６２からの温風よりも低温の冷風を術者領域へ送風するように構成されており、本変形例では一例として、第２吹出部２０から１７℃の冷風を送風するように構成されている。さらに、第３吹出部２２からは１７℃の冷風が被術者領域よりも外側の領域へ向けて吹き出されるように構成されている。
【００６６】
本変形例では、上記のように被術者領域へ温風を送付し、術者領域には冷風を送風することで、実施形態と同様に手術台上の患者Ｐとその周囲の術者Ｄの両者にとって適切な温熱環境を構築することができる。また、第３吹出部２２から送風された空気がエアバリア（エアカーテン）として機能し、被術者領域の近傍に清浄空間を確保することができる。
【００６７】
以上、本発明の実施形態及び変形例について説明したが、本発明はこうした実施形態等に限定されるものでなく、本発明の要旨を逸脱しない範囲において、種々なる態様で実施し得ることは勿論である。例えば、上記実施形態では、図１に示されるように、第２吹出部２０を囲むように４つの第３吹出部２２を略矩形枠状に配置したが、他の配置構造を採用してもよい。すなわち、第２吹出部２０に沿って第３吹出部２２が配置されていればよく、互いに対向するように２つの第３吹出部２２のみが配置された構成としてもよい。この場合であっても、第３吹出部２２が配置されていない構成と比較して、エアバリアの機能を発揮することができる。
【００６８】
また、上記実施形態では、隣り合う第２吹出部２０の間に無影灯１７の取付部２４を設定したが、これに限定されない。例えば、無影灯１７の取付部を第３吹出部２２よりも外側に設定し、取付部２４が設定されている部分にさらに第２吹出部２０を配置してもよい。こうすれば、第１吹出部１８に沿って第２吹出部２０が片側３つずつ配置され、術者領域への送風を効果的に行うことができる。
【符号の説明】
【００６９】
１０      手術室空調システム
１２      手術室
１８      第１吹出部
２０      第２吹出部
２２      第３吹出部
６０      手術室空調システム
６２      第１吹出部
【図１】
2019188054.tif 000003
【図２】
2019188054.tif 000004
【図３】
2019188054.tif 000005
【図４】
2019188054.tif 000006
【図５】
2019188054.tif 000007
【図６】
2019188054.tif 000008
【図７】
2019188054.tif 000009